(57)【特許請求の範囲】
【請求項１】
ユニットハウスの左右の壁パネル間に設置される間柱の室内側の面に、各壁パネルの連結側面に沿って設けた連結片が固定されるように構成した間柱の連結構造において、間柱に予め固定された固定ナットと、連結片の室内側から固定ナットにネジ止めして間柱に連結片を固定する固定ボルトと、間柱の左右の連結側面に沿って予め固定され間柱と壁パネル相互との間隙を封止する弾性ヒレ状のシール材と、室内側から連結片に着脱自在に装着して壁パネル相互の室内側の間隙に嵌合して間柱に固定した固定ボルトを覆うカバー体とを備え、
前記間柱は、Ｃ型チャンネル材にて構成され、該間柱のスリットから前記固定ボルトを内部に挿通してネジ止めする位置に前記固定ナットが溶着され、該スリット側を前記連結片の室外側の面に当接するように配置すると共に、前記連結片に、前記固定ボルトを挿通せしめる挿通部を切欠形成し、
前記シール材は、前記間柱の側面に接着する接着部と、該接着部から隣接する前記壁パネルの連結側面に向けて突出する２条の圧着当接片とを備え、前記連結片に前記間柱を固定したときに、該圧着当接片が前記間柱と前記壁パネルとの間隙を封止するように構成され、
前記カバー体は、前記壁パネル相互の躯体内側の面と同一の高さになる厚みを有し、前記壁パネルの前記連結片に着脱自在に磁着するように構成された
ことを特徴とするユニットハウス用間柱の連結構造。
【発明の詳細な説明】
【技術分野】
【０００１】
本発明は、ユニットハウスで使用する間柱の連結構造に係り、風雨の侵入を防止すると共に、デザイン性を高めることができるユニットハウス用間柱の連結構造に関するものである。
【背景技術】
【０００２】
従来、ユニットハウスの隙間をシールする構造として、特許文献１に記載されたユニットボックスの目地シール構造が提案されている。このシール構造は、ユニットボックスの目地に室内から挿入されるシール材と、目地の柱に設けられたレールに嵌着されシール材より室内側に位置決めされる弾性板材とで構成するものである。
【０００３】
このシール構造によると、シール材と弾性板材による２重のシール構造を採用することで、十分なシールが図れるというものである。すなわち、ユニットハウスの目地を室内からＴ型ジョイナー等のシール材を挿入し、次に、目地用柱の室内側に設けられたレールの間にスポンジ等の弾性板材を嵌着することで２重のシール状態に構成したものである。
【先行技術文献】
【特許文献】
【０００４】
【特許文献１】実用新案登録第２５０７２８９号公報
【発明の概要】
【発明が解決しようとする課題】
【０００５】
ところが、特許文献１に記載のシール構造は、予め隣接する柱相互の室内側に一対のレールを対向するように設ける必要があった。そのため、このシール構造を使用するために、向きが異なるレールを備えた２種類の柱が必要になり、柱の種類が増加する課題があった。
【０００６】
しかも、このレールに装着するスポンジ等の弾性板材は、ユニットハウスの他の材質と質感が明らかに異なっている。そのため、このようなシール構造を人目に付く室内側に装着した場合は、このシール構造を見た者に違和感を与えしまう虞があるなど、デザイン面に課題を残している。更に、スポンジ等の弾性板材は、防水性及び耐久性にも課題を有している。
【０００７】
そこで、本発明は、上述の課題を解消すべく案出されたもので、耐久性に富んで繰り返し使用することができ、しかも、風雨の侵入を防止しながら室内側のデザイン性を高めることができるユニットハウス用間柱の連結構造の提供を目的とするものである。
【課題を解決するための手段】
【０００８】
上述の目的を達成すべく本発明における第１の手段は、ユニットハウスＰの左右の壁パネル２０間に設置される間柱１０の室内側の面に、各壁パネル２０の連結側面に沿って設けた連結片２１が固定されるように構成した間柱１０の連結構造において、間柱１０に予め固定された固定ナット１１と、連結片２１の室内側から固定ナット１１にネジ止めして間柱１０に連結片２１を固定する固定ボルト１２と、間柱１０の左右の連結側面に沿って予め固定され間柱１０と壁パネル２０相互との間隙を封止する弾性ヒレ状のシール材１３と、室内側から連結片２１に着脱自在に装着して壁パネル２０相互の室内側の間隙に嵌合して間柱１０に固定した固定ボルト１２を覆うカバー体１４とを備え、
前記間柱１０は、Ｃ型チャンネル材にて構成され、該間柱１０のスリット１０Ａから前記固定ボルト１２を内部に挿通してネジ止めする位置に前記固定ナット１１が溶着され、該スリット１０Ａ側を前記連結片２１の室外側の面に当接するように配置すると共に、前記連結片２１に、前記固定ボルト１２を挿通せしめる挿通部２１Ａを切欠形成し、
前記シール材１３は、前記間柱１０の側面に接着する接着部１３Ａと、該接着部１３Ａから隣接する前記壁パネル２０の連結側面に向けて突出する２条の圧着当接片１３Ｂとを備え、前記連結片２１に前記間柱１０を固定したときに、該圧着当接片１３Ｂが前記間柱１０と前記壁パネル２０との間隙を封止するように構成され、
前記カバー体１４は、前記壁パネル２０相互の躯体内側の面と同一の高さになる厚みを有し、前記壁パネル２０の前記連結片２１に着脱自在に磁着するように構成されたものである。
【発明の効果】
【００１２】
請求項１のごとく、間柱１０の左右の連結側面に沿って予め固定され間柱１０と壁パネル２０相互との間隙を封止する弾性ヒレ状のシール材１３を設けたことにより、間柱１０の両側に壁パネル２０を設置すると同時にシール材１３が間隙をシールすることになる。したがって、風雨の侵入をこのシール材１３が防止する。
【００１３】
また、室内側から壁パネル２０相互の間隙に嵌合して間柱１０に固定した固定ボルト１２を覆うカバー体１４を備えたことで、室内側のデザイン性を高めることができる。しかも、壁パネル２０は左右対称の構成になっているので合理的な装着が可能である。
【００１４】
間柱１０は、Ｃ型チャンネル材にて構成され、該間柱１０のスリット１０Ａから前記固定ボルト１２を内部に挿通してネジ止めする位置に前記固定ナット１１が溶着され、該スリット１０Ａ側を前記連結片２１の室外側の面に当接するように配置すると共に、前記壁パネル２０の前記連結片２１に、前記固定ボルト１２を挿通せしめる挿通部２１Ａを切欠形成したものであるから、間柱１０のスリット１０Ａと、壁パネル２０の連結片２１相互の間隙部分とが重なった状態で固定される。この結果、間柱１０と壁パネル２０との連結構造自体が雨風を遮断できる構成になり、風雨の侵入を確実に防止することができる。
【００１５】
シール材１３は、前記間柱１０の側面に接着する接着部１３Ａと、該接着部１３Ａから隣接する前記壁パネル２０の連結側面に向けて突出する２条の圧着当接片１３Ｂとを備え、前記連結片２１に前記間柱１０を固定したときに、該圧着当接片１３Ｂが前記間柱１０と前記壁パネル２０との間隙を封止するように構成しているので、シール材１３は耐久性に富み、間柱１０と共に繰り返し使用することができる。
【００１６】
カバー体１４は、前記壁パネル２０相互の躯体内側の面と同一の高さになる厚みを有し、前記壁パネル２０の前記連結片２１に着脱自在に磁着するように構成しているので、ユニットハウスＰの室内側の外観デザインを優れたものにすることができる。しかも、連結片２１に磁着するので装着が容易で何度でも繰り返し使用することができる。
【００１７】
このように、本発明によると、耐久性に富んで繰り返し使用することができ、しかも、風雨の侵入を防止しながら外観のデザイン性を高めることができるなどといった当初の目的を達成した。
【図面の簡単な説明】
【００１８】
【図１】本発明の使用例を示す斜視図である。
【図２】本発明の連結状態を示す分解斜視図である。
【図３】本発明の連結状態を示す分解平断面図である。
【図４】本発明の連結状態を示す平断面図である。
【図５】本発明の間柱を示す分解斜視図である。
【発明を実施するための形態】
【００１９】
以下、本発明の実施の形態を説明する。本発明は、工場で生産し、現地で組み立てるユニットハウスＰの壁パネル２０相互を連結する間柱１０の連結構造である（図１参照）。
【００２０】
すなわち、間柱１０は、左右の壁パネル２０間に設置されるものである（図２参照）。この壁パネル２０の左右側面には、間柱１０の連結側面に沿って連結片２１を設けている。そして、壁パネル２０相互の連結片２１を間柱１０の室内側の面に固定するように構成している（図３参照）。
【００２１】
図示の間柱１０は、Ｃ型チャンネル材にて構成されている。そして、内部に固定ナット１１が設けられ、連結片２１の室内側から固定ナット１１にネジ止めする固定ボルト１２にて、間柱１０に連結片２１を固定する（図４参照）。したがって、この固定ナット１１は、間柱１０のスリット１０Ａから固定ボルト１２を内部に挿通してネジ止めする位置に溶着されている。
【００２２】
また、間柱１０の室内側の面と連結片２１の室外側の面とを当接したときに、連結片２１相互の間隙と間柱１０のスリット１０Ａとが重なるように構成している（図３参照）。図示の連結片２１は、先端部をスリット１０Ａ方向に屈曲して挿入部２１Ｂを形成し、間柱１０と連結片２１とを固定したときに、この挿入部２１Ｂがスリット１０Ａから間柱１０の内部に挿入されるように構成したものである（図４参照）。
【００２３】
更に、間柱１０の左右の連結側面には、壁パネル２０の各連結側面に接触する弾性ヒレ状のシール材１３が設けられている（図５参照）。そして、間柱１０の両側に壁パネル２０を設置すると、間柱１０と壁パネル２０相互との間隙をこのシール材１３が封止する（図４参照）。この結果、壁パネル２０の間隙からの雨風の侵入を防ぐことができる。
【００２４】
図示のシール材１３は、接着部１３Ａと一対の圧着当接片１３Ｂとを備えている（図３参照）。すなわち、接着部１３Ａは、間柱１０の側面に接着する帯状の部位で、この接着部１３Ａから圧着当接片１３Ｂが突出するように一体形成されている。
【００２５】
この圧着当接片１３Ｂは、接着部１３Ａから隣接する壁パネル２０の連結側面に向けて突出する２条のヒレ状をなしており、間柱１０と壁パネル２０との間隙を二重に封止するように構成したものである（図４参照）。
【００２６】
間柱１０に壁パネル２０の連結片２１を固定した後、この連結片２１に室内側からカバー体１４を装着する（図３参照）。このカバー体１４は、壁パネル２０相互の室内側の間隙に嵌合する帯板状の部材で、間柱１０に固定した固定ボルト１２を覆い隠すものである（図４参照）。
【００２７】
また、このカバー体１４は、壁パネル２０相互の躯体内側の面と同一の高さになる厚みを有しているので、壁パネル２０相互の間隙にカバー体１４を嵌合すると、壁パネル２０の面とこのカバー体１４の面とが同一になる（図４参照）。
【００２８】
更に、カバー体１４に永久磁石を設け、壁パネル２０の連結片２１に着脱自在に磁着するように構成している。したがって、カバー体１４の装着は、室内側から連結片２１に近づけるだけの作業で簡単に装着することができる。
【００２９】
尚、本発明ユニットハウスＰの構成は図示例に限定されるものではなく、間柱１０や壁パネル２０、シール材１３やカバー体１４等の構成や形状は任意に変更することができる。また、本発明の要旨を変更しない範囲での設計変更は自由に行える。
【符号の説明】
【００３０】
Ｐ  ユニットハウス
１０  間柱
１０Ａ  スリット
１１  固定ナット
１２  固定ボルト
１３  シール材
１３Ａ  接着部
１３Ｂ  圧着当接片
１４  カバー体
２０  壁パネル
２１  連結片
２１Ａ  挿通部
２１Ｂ  挿入部
【図１】
0006290294.tif 000002
【図２】
0006290294.tif 000003
【図３】
0006290294.tif 000004
【図４】
0006290294.tif 000005
【図５】
0006290294.tif 000006